(57)【要約】【課題】電子式電力量計への交換の際、新たな取付板を用意したり、取付けねじ位置を付け替えたりしなくても、既設取付板をそのまま利用して作業負担、経済的負担を軽減しつつ、３点支持の安定状態で取付けれるようにする。【解決手段】電子式電力量計１における箱状ケース２の下方部でその左右両側位置にはそれぞれ被取付面への締付け固定用取付孔３，３が形成されているとともに、箱状ケース２の背面には、該背面に形成されたガイドレール４，４に沿って上下スライド自在なスライド金具５が保持され、このスライド金具５の上部位置に吊下げ支持用取付孔６が形成されている。【選択図】      図２
2004251812.tif 000002
【特許請求の範囲】
【請求項１】
箱状ケース内に電子式計量本体部が収納され、箱状ケースの下方部でその左右両側位置にはそれぞれ被取付面への締付け固定用取付孔が、かつ、箱状ケースの上方部でその左右中央位置には被取付面への吊下げ支持用取付孔が形成されている電子式電力量計の取付構造であって、
上記吊下げ支持用取付孔が、箱状ケース背面に形成のガイドレールに沿って上下スライド自在に保持されたスライド金具の上部位置に設けられていることを特徴とする電子式電力量計の取付構造。
【請求項２】
上記ガイドレールの上端部には、スライド金具をその上端が箱状ケースの上辺から上方へ所定量突出する位置まで上昇スライドさせた時、該スライド金具に形成の突片に当接してそれ以上の上昇スライドを規制するストッパーが設けられているとともに、ガイドレールの下端部には、スライド金具をその上端側からガイドレールへの差入れを許容し、かつ、その差入れによりガイドレールにスライド自在に保持されたスライド金具が箱状ケースの上辺から突出しない位置まで下降スライドさせた時、該スライド金具に形成した被係合部に係合してスライド金具の脱落を防ぐ弾性係止爪が設けられている請求項１に記載の電子式電力量計の取付構造。
【発明の詳細な説明】
【０００１】
【発明の属する技術分野】
本発明は、電力会社等の電気電力供給事業者から電気電力の供給を受ける需要家建物の外壁等の被取付面に電子式電力量計（ＷＨＭ）を取付けるための電子式電力量計の取付構造に関するものである。
【０００２】
【従来の技術】
電力量計として従来一般には、電力に比例するトルクを発生する部分、その発生トルクに応じて回転する回転子円板、この回転子円板に適当な制動力を付与する制動磁石、回転子円板の回転測定により電力を計量しその計量値を指針又は現字表示する計量装置を主たる構成要素とする計量本体部を、ベースとその前面に離脱可能に固定されたカバー枠とで形成される空間内部に収納してなる誘導型電力量計が使用されている。この誘導型電力量計では、ベースの左右両辺側の上下中間部に被取付面への締付け固定用取付孔が、かつ、ベース上辺側の左右中央部に被取付面への吊下げ支持用取付孔が形成されており、これら三つの孔のうち上辺側の中央孔を被取付面、実際には電力量計の大きさに対応した大きさに形成されて外壁等に固定されている取付板側に固定の頭付き取付けねじやピン状突起に係合させて吊り下げ支持させた上で、ケース左右両辺側の上下中間孔にボルト等のねじを挿入して取付板に締付け固定することにより、該誘導型電力量計を３点支持の安定状態で取付板に取付けていた（例えば、非特許文献１参照）。
【０００３】
【非特許文献１】
「普通電力量計（ＩＩＩ形、三相および単相３線式計器）」、東光精機株式会社発行、１９８６年９月２０日、Ｐ．１〜６
【０００４】
【発明が解決しようとする課題】
近年では、上記非特許文献１に記載されている誘導型電力量計に比べて体積比で約５０％以上も減少した小型の電子式電力量計が開発されており、既設の誘導型電力量計を、例えば１０年毎の検定時等において小型の電子式電力量計に順次交換することが行われている。しかし、この電子式電力量計は、誘導型電力量計に比べて特に上下寸法が小さく、そのため、３つの取付孔のうち、上方部の左右中央位置の取付孔の位置が大きく下方へ変化して誘導型電力量計の取付けに適した高さ位置に設定されている既設取付板側の取付けねじ（木製取付板の場合）やピン状突起（樹脂製取付板の場合）の位置をそのまま利用して所定の３点支持の安定状態で取付けることができない。そのため、誘導型電力量計から電子式電力量計への交換にあたっては、この電子式電力量計の取付けに適応した新しい樹脂製取付板を用意し、この新しい取付板を現場に持ち込んで電力量計の交換と同時に取付板自体も付け替える、もしくは木製取付板の場合、上方中央部の取付けねじの位置を付け替えるという手間のかかる工事が必要であり、新しい電子式電力量計の製造費用に加えて取付板の交換やねじ位置の付け替え工事にも相当な費用及び手間がかかり、膨大な数の電力量計を交換するには電気電力供給事業者に多大な作業手間及び経済的負担が強いられるという問題があった。
【０００５】
本発明は上記実情に鑑みてなされたもので、小型の電子式電力量計への交換に際して、新たな取付板を用意したり、ねじ位置の付け替えを行わなくても、既設取付板をそのまま利用して電気電力供給事業者の作業手間及び経済的負担を軽減しつつ、所定の３点支持の安定状態で取付けることができる電子式電力量計の取付構造を提供することを目的としている。
【０００６】
【課題を解決するための手段】
上記目的を達成するために、本発明に係る電子式電力量計の取付構造は、箱状ケース内に電子式計量本体部が収納され、箱状ケースの下方部でその左右両側位置にはそれぞれ被取付面への締付け固定用取付孔が、かつ、箱状ケースの上方部でその左右中央位置には被取付面への吊下げ支持用取付孔が形成されている電子式電力量計の取付構造であって、上記吊下げ支持用取付孔が、箱状ケース背面に形成のガイドレールに沿って上下スライド自在に保持されたスライド金具の上部位置に設けられていることを特徴とするものである。
【０００７】
上記構成の本発明によれば、既設の誘導型電力量計を小型の電子式電力量計に交換する際、その小型の電子式電力量計の箱状ケース背面に上下スライド自在に保持されているスライド金具を上昇スライドさせることによって、上方部中央位置の取付孔の位置を誘導型電力量計における中央取付孔の位置に簡単に位置合わせすることが可能である。したがって、誘導型から電子式への電力量計交換の際に新たな取付板を用意し、これを現場に持ち込んで既設取付板と付け替えたり、木製取付板の場合に取付けねじの位置を付け替えるといった手間のかかる工事を行わなくても既設の取付板をそのまま利用して電子式電力量計を所定の３点支持の安定状態に取付けることが可能である。また、電力量計自体を新設する際は、これに適応した寸法間隔の３つの取付けねじ部やピン状突起を有する取付板を用いるが、この場合、中央取付孔の位置とそれに対応して取付板側に設けられるねじ孔あるいは吊り下げねじまたはピン状突起の位置とに多少のずれがあっても、スライド金具のスライドによって簡単にずれ調整して電子式電力量計を所定どおり３点支持の安定状態に取付けることが可能である。
【０００８】
本発明に係る電子式電力量計の取付構造において、請求項２に記載のように、ベース背面に形成されるガイドレールの上端部に、スライド金具をその上端が箱状ケースの上辺から上方へ所定量突出する位置まで上昇スライドさせた時、該スライド金具に形成の突片に当接してそれ以上の上昇スライドを規制するストッパーを設けるとともに、ガイドレールの下端部に、スライド金具をその上端側からガイドレールへの差入れを許容し、かつ、その差入れによりガイドレールにスライド自在に保持されたスライド金具が箱状ケースの上辺から突出しない位置まで下降スライドさせた時、該スライド金具に形成した被係合部に係合してスライド金具の脱落を防ぐ弾性係止爪を設ける構成を採用することが望ましい。このような構成を採用することによって、電子式電力量計を取付板に取付けた場合は、スライド金具を通して箱状ケース上方部中央の吊り下げ点にも電力量計の重量の一部を分担させて３点支持による安定よい取付けが可能であるばかりでなく、電力量計の保管や運搬等の取扱い時にはスライド金具をその上端が箱状ケースの上辺から突出しない位置まで下降スライドさせ、かつ、被係合部に弾性係止爪を係合させることにより、細長いスライド金具がケース上辺から上方に局部的に突出したままで取り扱われる結果、他物との接触によってスライド金具が破損したり変形したりする不良事態の発生を防ぐとともに、スライド金具が不測にケース下方に脱落（抜け落ち）することは弾性係止爪により、また、振動等によってケース上方へ抜け落ちることはストッパーにより防止してスライド金具の紛失や抜け落ちに伴う破損等の不良事態の発生も回避することができる。
【０００９】
【発明の実施の形態】
以下、本発明の実施の形態を図面にもとづいて説明する。
図１、図２は本発明に係る電子式電力量計を背面からみた外観斜視図であり、この電子式電力量計１は、樹脂成形または金属加工により箱状に形成されたケース２内に、電力配電線（引込線）及び需要家屋内配線（需要家線）を電気接続可能な雌型端子を有する端子ブロック及び電子式計量本体部（共に図示省略する）を収納して構成されている。
【００１０】
上記箱状ケース２の下方部でその左右両側位置にはそれぞれ被取付面への締付け固定用取付孔３，３が形成されているとともに、箱状ケース２の背面で左右中央位置には一対のガイドレール４，４がケース２と一体に形成されており、この一対のガイドレール４，４に上下スライド自在に嵌合保持させたスライド金具５の上端部近くには、略ダルマ形状の吊下げ支持用取付孔６が設けられている。
【００１１】
上記スライド金具５は、図３に明示するように、吊下げ支持用取付孔６が設けられている細長い金属帯板部５ａの幅方向両側に一対のガイドレーム４，４の溝４ｂ，４ｂ内に嵌合するＬ形のスライド片５ｂ，５ｂが折曲げ形成されているとともに、金属帯板部５ａの下端部両側には、該スライド金具５をその上端が箱状ケース２の上辺２Ａから上方へ所定量突出する位置まで上昇スライドさせた時（図２の状態）、一対のガイドレール４，４の上端部に突設されているストッパー４ｃ，４ｃに当接してスライド金具５のそれ以上の上昇スライドを規制する突片５ｃ，５ｃが形成されている。
【００１２】
一方、一対のガイドレール４，４の下端部には、スライド金具５をその上端側からガイドレール４，４への差入れを許容し、かつ、その差入れによりガイドレール４，４にスライド自在に保持されたスライド金具５をその上端が箱状ケース２の上辺２Ａから突出しない位置まで下降スライドさせた時（図１の状態）、図４に明示するように、スライド金具５のＬ形スライド片５ｂ，５ｂの下端縁で形成される被係合部５ｄ，５ｄに係合して該スライド金具５の下方への脱落を防ぐラチェット爪形状の弾性係止爪４ｄ，４ｄが設けられている。
【００１３】
上記構成の電子式電力量計１を保管あるいは運搬するなど非取付け状態で取扱う時には、図１に示すように、スライド金具５をその上端が電力量計１における箱状ケース２の上辺２Ａから突出しない位置まで下降スライドさせ、かつ、被係合部５ｄ，５ｄにガイドレール４，４側の弾性係止爪４ｄ，４ｄを係合させることにより、全体をコンパクトなものにして細長いスライド金具５が他物との接触によって破損したり変形したりすることはもとより、運搬等の取扱い時にスライド金具５が不測に箱状ケース２の下方に脱落（抜け落ち）したり、上方へ抜け出たりすることを弾性係止爪４ｄ，４ｄ及びストッパー４ｃ，４ｃで防止して、スライド金具５の紛失や脱落に伴う破損等の不良事態の発生も招かないで取り扱うことができる。
【００１４】
そして、この電子式電力量計１を既設の誘導型電力量計と交換する際は、図２に示すように、スライド金具５をその上端が箱状ケース２の上辺２Ａから上方へ所定量突出し、突片５ｃ，５ｃがストッパー４ｃ，４ｃに当接する位置まで上昇スライドさせることによって、上方部中央位置の略ダルマ形状の吊下げ支持用取付孔６の位置を誘導型電力量計における中央取付孔の位置に簡単に位置合わせすることが可能であり、これによって、誘導型から電子式への電力量計交換の際に新たな樹脂製取付板を用意し、これを現場に持ち込んで既設取付板と付け替えるとか、木製の既設取付板における上方中央部の取付けねじの位置を付け替えるいったコスト及び手間のかかる工事を行わなくても、図５に示すような既設の取付板７をそのまま利用して電子式電力量計１を下方部左右両側の取付孔３，３とスライド金具５の略ダルマ形状の吊下げ支持用取付孔６とを用いて３点支持の安定状態に取付けることができる。
【００１５】
また、この取付け状態において、スライド金具５の突片５ｃ，５ｃがストッパー４ｃ，４ｃに当接してそれ以上の上昇スライドは規制されるので、電子式電力量計１の重量の一部がスライド金具５を通して既設取付板７の吊り下げ用ねじ８に分担されることになり、したがって、左右両側の取付孔３，３を介してケース２を取付板６に締付け固定する二本のねじ９，９のみに電子式電力量計１の全重量を負担させないですみ、３点支持による安定よい、かつ、強固な取付け状態を得ることができる。
【００１６】
なお、上記実施の形態では、誘導型から電子式への電力量計交換の際に、既設の取付板７を利用する場合について説明したが、電子式電力量計１自体を新設する場合は、これに適応した寸法間隔の３つの取付けねじ部を有するように加工されている新しい取付板を用いる。この場合、中央取付孔６の位置とそれに対応して取付板側に設けられる吊り下げねじやピン状突起の位置とに多少のずれがあっても、スライド金具５のスライドによって簡単にずれ調整して電子式電力量計１を所定どおり３点支持の安定状態に取付けることが可能である。
【００１７】
【発明の効果】
以上のように、本発明によれば、大型の既設誘導型電力量計を小型の電子式電力量計に交換する際、箱状ケース背面に設けたスライド金具を上昇スライドさせるだけで、上方部中央の取付孔位置を誘導型電力量計における中央取付孔の位置に簡単に位置調整することが可能であるから、誘導型から電子式への電力量計交換の際に新たな樹脂製取付板を用意し、さらに、この新しい取付板を現場に持ち込んで既設取付板と付け替えるとか、木製取付板の場合にその上方中央部の取付けねじの位置を付け替えるといった手間のかかる工事を行う必要がなくなり、既設の取付板をそのままの形態で利用しつつ電子式電力量計を所定の３点支持の安定状態に取付けることができ、したがって、膨大な数の電力量計の交換時における電気電力供給事業者への工事負担及び経済的負担を著しく軽減することができる。また、電子式電力量計を新設する場合に、中央取付孔の位置とそれに対応する取付板側の吊り下げねじまたはピン状突起の位置とに多少のずれがあっても、スライド金具のスライドによって簡単にずれ調整して電子式電力量計を所定どおり３点支持の安定状態に取付けることができるという効果を奏する。
【図面の簡単な説明】
【図１】本発明に係る電子式電力量計の非取付け時における状態を背面からみた外観斜視図である。
【図２】同電子式電力量計の取付け時における状態を背面からみた外観斜視図である。
【図３】同電子式電力量の要部の拡大横断面図である。
【図４】図１の丸印Ａ部で一部を省略した拡大背面図である。
【図５】同電子式電力量計の取付け状態を示す概略正面図である。
【符号の説明】
１  電子式電力量計
２  箱状ケース
２Ａ  ケース上辺
３  締付け固定用取付孔
４  ガイドレール
４ｃ  ストッパー
４ｄ  弾性係止爪
５  スライド金具
５ｃ  突片
５ｄ  被係合部
６  吊下げ支持用取付孔
【図１】
2004251812.tif 000003
【図２】
2004251812.tif 000004
【図３】
2004251812.tif 000005
【図４】
2004251812.tif 000006
【図５】
2004251812.tif 000007